(57)【特許請求の範囲】
【請求項１】
貯水槽の上面を遮光性シートにより開閉支持手段を介して水平に覆う貯水槽用テントであって、
前記遮光性シートは、複数の帯状シート地の長さ方向に沿った両側部を、遮光性シートが折り畳まれた時に形成される谷部の底部に位置するように配置された多孔性シートで接続することによって形成され、
前記帯状シート地の両側部には、隣接する帯状シート地の両側縁が互いに所定の幅で重なり合うと共に部分的に接着部が設けられた重合面が形成され、
前記多孔性シートと、前記接着部以外の重合面における隙間とによって形成され、直射日光の遮蔽機能を有すると共に雨水等の通過を許す透水部を備えていることを特徴とする貯水槽用テント。
【発明の詳細な説明】
【０００１】
【発明の属する技術分野】
本発明は、浄水施設等の貯水槽の上面を覆って、藻類の発生原因となる日光を遮断するための貯水槽用テントに関するものである。
【０００２】
【従来の技術】
従来より、河川や湖沼から取水した水は、浄水施設の貯水槽に溜めたのち、上水処理施設に供給されて処理されるが、近年、河川や湖沼の水は、汚染、汚濁によりアンモニア性窒素を多量に含んで水質が悪化する傾向にあるため、浄水施設の処理槽に多量の次亜塩素酸ソーダを投与して水質の悪化を防ぐような処理が行われている。
【０００３】
一方、処理槽内の水に多量の次亜塩素酸ソーダを投与すると、処理槽に発生する藻類と反応してトリハロメタン等の有害物質が発生する原因となるため、最近では、次亜塩素酸ソーダの使用量をできるだけ抑えて、微生物を利用する生物膜処理法によって浄化する高度水処理法が普及するようになってきている。
【０００４】
しかしながら、上記の微生物を利用する生物膜処理法によると、従来より使用されていた次亜塩素酸ソーダの使用を少なくできるという利点を有するが、その反面、次亜塩素酸ソーダの使用量を制限することに伴い防藻作用も低下することになり、処理槽内に藻類が発生しやすくなるという問題が生ずる。
【０００５】
そして、藻類の発生を抑えられないと、生物膜処理法で使用される生物膜用接触材や濾過材が藻類により目詰まりを生じて、微生物への酸素供給が滞り、活性が衰えて水の浄化作用が低下するという不都合が生ずることになる。
【０００６】
【発明が解決すべき課題】
このような理由から、貯水槽等に貯留した水には、できるだけ藻類を発生させないような対策が求められるが、一般的に貯水槽は露天であることから直射日光に晒され、光合成による藻類の発生成長が活発化することを抑制できないという問題を有している。
【０００７】
このような問題に対し、貯水槽の上面をシートにより覆って直射日光を遮断することが考えられるが、従来における市販のテント地等では光が透過してしまうことから、貯水槽の上面をテント地で覆っても、藻類の発生成長を確実に抑制するための手段としては十分でないとされている。
【０００８】
また、浄水場に設けられる貯水槽は、一辺が２０〜３０メートル程度にもおよぶ大きな面積を有しているため、このような大きな貯水槽の上面にテントを設置する場合には、雨水を流すための屋根勾配を設ける必要があり、この屋根勾配は面積が大きいことから、貯水槽の縁に対して中央部の最も高い部分が２〜３メートル程度になる。
【０００９】
しかし、浄水場における貯水槽の上面を、中央部の高さが２〜３メートル程度の勾配のあるテントにより覆った場合には、このテントの中に人が入り込めるスペースができるため、次のようなことが特に問題となる。すなわち、最近では、食物や飲み物に毒物を混入させる凶悪な事件が社会問題となっているが、もしも、浄水場敷地内に部外者が貯水槽内へ毒物等を投入する目的で侵入したような場合には、貯水槽のテントが２〜３メートルの高さがあると、侵入者がテント内に入り込んだり、陰に隠れたりして監視者の目から逃れられることになるので、場内に対する監視が不十分となって安全管理の面で障害を生じ、この種の事件が発生することを未然に防止できないという問題がある。
【００１０】
上記のような安全管理上の問題が生じないようにするためには、貯水槽の上面をテントにより内側へ人が入り込めない程度の高さ、つまり屋根勾配のないような水平な状態で覆うようにすればよいが、このような屋根勾配のないテントでは雨水を排水できないためテントとしての機能において問題が生ずる。
【００１１】
しかし、貯水槽の上面を覆うテントというのは、必ずしも雨水を貯水槽の外へ排水する必要はなく、テントで受けた水をテントに設けた多数の水抜きを通して直接貯水槽内へ落としてしまってもかまわない。ところが、テントに雨水を排出する多数の水抜きを設けると、晴天時に、これらの水抜きを通して日光が貯水槽内に照射されることになって、貯水槽内に藻類が発生し易い条件を与えることになる。
【００１２】
【課題を解決するための手段】
本発明は、貯水槽用テントの上記のような問題に鑑み、貯水槽の上面にテントを屋根勾配のない水平な状態で低く覆うことができて安全管理の面から好ましく、しかも、雨水は水抜きを通して貯水槽内へ排出するが、この水抜きは直射日光が貯水槽内へ侵入することを防いで、藻類の発生を的確に防止できるようにした貯水槽用テントの提供を目的とするものである。
【００１３】
本発明の貯水槽用テントは、そのための具体的手段として、貯水槽の上面を遮光性シートにより開閉支持手段を介して水平に覆う貯水槽用テントであって、前記遮光性シートが、複数の帯状シート地の長さ方向に沿った両側部を、遮光性シートが折り畳まれた時に形成される谷部の底部に位置するように配置された多孔性シートで接続することによって形成され、前記帯状シート地の両側部には、隣接する帯状シート地の両側縁が互いに所定の幅で重なり合うと共に部分的に接着部が設けられた重合面が形成され、前記多孔性シートと、前記接着部以外の重合面における隙間とによって形成され、直射日光の遮蔽機能を有すると共に雨水等の通過を許す透水部を備えていることを特徴とする。
【００１６】
【発明の実施の形態】
本発明に係る貯水槽用テントの構成を図面に示す実施例について説明すると、この発明の貯水槽用テントは、図１に示すように、貯水槽１の対向する両側に高さ１メートル程度の支持フレーム２を立設し、このフレーム２に複数本のワイヤ３を所定間隔に離間して平行に張設し、これらのワイヤ３の下面に前記ワイヤ３と直交する向きに配列された多数本の芯部材４により支持される遮光性シート５が吊り下げられている。
【００１７】
前記遮光性シート５は、所定の間隔で配列される夫々の芯部材４が、前記ワイヤ３と交差する位置に設けられた吊り金具６を介して前記ワイヤ３に摺動自在に吊り下げられている。
【００１８】
また、貯水槽１の対向する両側に設けられた前記支持フレーム２の両端には、駆動モータ７によりプーリ８を介して回転する無端ベルト９が前記ワイヤ３と平行に設けられていて、これらの無端ベルト９の一部に前記遮光性シート５の開閉側端部１７が接続され、前記無端ベルト９を回動することで、遮光性シート５が両支持フレーム２の間で開閉するようになっている。
【００１９】
駆動モータ７により無端ベルト９を、開閉側端部１７が図１の右側方向へ移動するように回動すると、夫々の芯部材４の間隔が広がって、遮光性シート５が全体的に貯水槽１の上面を閉じるように展開し、反対に、開閉側端部１７が図１の左側方向へ移動するように回動すると、図２のように、夫々の芯部材４の間隔が狭められことで、遮光性シート５が夫々の芯部材４の間に谷部１１を形成するように折り畳まれ、全体として貯水槽１の上面を開放するように縮小する。
【００２０】
前記遮光性シート５は、例えば、塩化ビニール樹脂にポリエステル繊維を介装させた素材からなっており、図２乃至図５に示す実施例の前記遮光性シート５では、前記芯部材４と平行な向きに所定の幅で裁断された複数枚の帯状シート地５ａが、夫々両側部１２に連結材としての帯状の多孔性シート１０を設けることで一連に接続され、図２に示すように、遮光性シート５が折り畳まれた時に、前記多孔性シート１０が谷部１１の底部に位置するように形成されている。
【００２１】
また、帯状の多孔性シート１０を介して一連に接続される複数枚の帯状シート地５ａの両側部１２は、多孔性シート１０との接続部１０ａの部分で途切れることなく、夫々の両側縁１３が多孔性シート１０の下面方向に十分な長さで延出して、隣接する帯状シート地５ａの両側縁１３が互いに所定の幅で重なり合うことで、上面の多孔性シート１０を通過する日光の遮蔽機能を有する重合面１４が形成されている。
【００２２】
前記帯状シート地５ａの両側縁１３による重合面１４は、図５に示すように、両側縁１３の長さ方向に沿った所定間隔位置に部分的に接着部１５を設けることで、両側縁１３の重なり合った状態が適切に維持されると共に、二枚の重合した両側縁１３により多孔性シート１０を通過する日光Ａの遮蔽機能を発揮すると共に、多孔性シート１０と前記接着部１５以外の重合面１４における隙間とにより、多孔性シート１０を通過した雨水Ｄを下方の貯水槽１内へ排水するための透水部１６が形成されている。
【００２３】
図６乃至図８は、別の実施例を示すものであり、この場合は、遮光性シート２５が、前記実施例のような帯状シート地５ａを接続したものではなく、全体的に所定の大きさをもつ一枚のシートとして縫製されており、芯部材２４の間の折り畳み重ね部となる谷部３１に部分的に透水孔２６が開設されて、これらの透水孔２６を設けた部分のシート２５の裏面に、該透水孔２６を通過する直射日光を遮るための遮光カバー２７が取付けられている。
【００２４】
この遮光カバー２７は、藻類の発生原因となる波長光Ｂを遮断する機能をもった濃緑色の透光性合成樹脂、すなわち、可視光透過領域の波長のうち、４５０ｎｍ以下及び６００ｎｍ以上の波長光は吸収遮断して、４５０ｎｍから６００ｎｍの波長光Ｃだけが透過されるような素材からなっていて、シート谷部３１の長さ方向に沿った所定の長さを有しており、この遮光カバー２７がシート谷部３１の裏面に対して、両側縁２７ａを接着すると共に、両端２７ｂは開放しているように取付けることで、透水孔２６を通過した雨水Ｄを貯水槽１内へ排水するための透水部２８が設けられるようになっている。
【００２５】
上記のように構成される本発明の貯水槽用テントは、第１の実施例及び第２の実施例の場合も、槽内の清掃あるいは特殊な作業時を除いて、通常は遮光性シート５，２５を水平に展張して貯水槽の上面全体を覆っておき、空気中の塵埃や日中の直射日光が水槽内に侵入することを防止する。
【００２６】
第１の実施例の場合、貯水槽の上面が遮光性シート５で覆われていると、谷部１１に設けられた多孔性シート１０を日光Ａが通過したとしても、該多孔性シート１０の下面には、所定の幅で重なり合う帯状シート地５ａの両側縁１３による重合面１４が設けられているので、通過した日光Ａはこの重合面１４で確実に遮蔽されて水槽内への侵入を防止することができる。
【００２７】
一方、貯水槽の上面が前記遮光性シート５で覆われている状態において、雨水を受けた場合には、多孔性シート１０を通過した雨水Ｄが下方の帯状シート地両側縁１３の重合面１４における透水部１６を通して貯水槽１内へ排水されることになり、遮光性シート５の上面に水溜まりを生ずることがない。
【００２８】
また、第２の実施例の場合も、貯水槽の上面を覆う遮光性シート２５の谷部３１に設けられた透水孔２６を日光Ａが通過したとしても、この透水孔２６の下面には、藻類の発生原因となる４５０ｎｍ以下及び６００ｎｍ以上の波長光Ｂを吸収遮断する遮光カバー２７が設けられているので、通過した日光Ａはこの遮光カバー２７により確実に遮蔽されて水槽内への侵入を防止することができる。
【００２９】
また、貯水槽の上面がこの遮光性シート２５で覆われている状態において、雨水を受けた場合には、透水孔２６を通過した雨水Ｄが下方の遮光カバー２７の一端に設けられた透水部２８を通して貯水槽１内へ排水されることになり、遮光性シート２５の上面に水溜まりを生ずることがない。
【００３０】
【発明の効果】
以上に述べたように、本発明に係る貯水槽用テントは、遮光性シートの折り畳み重ね部となる谷部に直射日光の遮蔽機能を有すると共に雨水等の通過を許す透水部を備えているので、この透水部により雨水を貯水槽内へ排出することで、貯水槽の上面にテントを屋根勾配を設けることなく低くて水平な状態で覆うことができ、部外者の侵入等の問題に対する安全管理の面で好ましいという利点を有すると共に、雨水を貯水槽内へ排出するための透水部は、雨水を通しつつ直射日光が貯水槽内へ侵入することを防ぐので藻類の発生を的確に防止でき、この種の貯水槽用テントとして有効なものとすることができる。
【００３１】
特に第１の実施例における貯水槽テントでは、多孔性シートとその下方のシート両側縁の重合面を通しての排水性が著しく良好であり、集中豪雨の際にも適切に対応することができると共に、シート両側縁の重なり合いにより確実な遮光性が期待できるという利点を有する。
【００３２】
また、第２の実施例における貯水槽テントでは、遮光性シートの谷部に透水孔を設けることと、この透水孔裏面に一端に透水部を備える遮光カバーを設ける構成であるため、全体としての重量が軽るくて開閉作業が能率的に行え、コストの面で有利であると共に、遮光機能を的確に期待できるという利点を有する。
【図面の簡単な説明】
【図１】本発明に係る貯水槽用テントの全体構成を示す斜視図。
【図２】第１実施例におけるテントの折り畳まれた部分の構成を示す斜視図。
【図３】同じく第１実施例におけるテントの水抜きの構成を示す斜視図。
【図４】図３のＩＶ−ＩＶ線における断面図。
【図５】図３のＶ−Ｖ線における断面図。
【図６】第２実施例におけるテントの水抜きの構成を示す斜視図。
【図７】図６のＶＩＩ−ＶＩＩ線における断面図。
【図８】図６のＶＩＩＩ−ＶＩＩＩ線における断面図。
【符号の説明】
１：貯水槽
２：フレーム
３：ワイヤ
４：芯部材
５：遮光性シート
５ａ：帯状シート地
６：吊り金具
７：駆動モータ
８：プーリ
９：無端ベルト
１０：多孔性シート
１１：谷部
１２：帯状シート地両側部
１３：帯状シート地両側縁
１４：重合面
１５：接着部
１６：透水部
１７：開閉側端部
２４：芯部材
２５：遮光性シート
２６：透水孔
２７：遮光カバー
２８：透水部
【図１】
0004202488.tif 000002
【図２】
0004202488.tif 000003
【図３】
0004202488.tif 000004
【図４】
0004202488.tif 000005
【図５】
0004202488.tif 000006
【図６】
0004202488.tif 000007
【図７】
0004202488.tif 000008
【図８】
0004202488.tif 000009